(57)【要約】【課題】  払い出し用のメダルを装置の上部からゲーム空間内に供給する場合に、メダルをプレーヤが視認できる状態とすることで、プレーヤに見えているメダルを獲得しようとする意欲を起こさせて、ゲームの面白みを向上させることができ、しかも、メンテナンス性を向上させることのできるメダルゲーム装置を提供する。【解決手段】  ゲーム空間内の上方部で払い出し用のメダル２６を払い出し口２４まで転動させて搬送する横搬送レール３６を有し、この横搬送レール３６は、メダル２６を案内するガイド壁４４の高さをメダル２６の直径よりも低く設定し、メダル２６の上部をガイド壁４４より突出させることで、メダル２６をプレーヤが視認できる状態とし、プレーヤに見えているメダル２６の獲得意欲を起こさせ、かつ、メンテナンス性を向上させるようにした。【選択図】  図２
2010063907.tif 000002
【特許請求の範囲】
【請求項１】
ゲーム空間内の上方部で払い出し用のメダルを所定位置まで転動させて搬送する横搬送レールを有し、
前記横搬送レールは、少なくともプレーヤ側に面するガイド壁に前記メダルをプレーヤに対して視認可能にする視認部が形成されていることを特徴とするメダルゲーム装置。
【請求項２】
ゲーム空間内の上方部で払い出し用のメダルを所定位置まで転動させて搬送する横搬送レールを有し、
前記横搬送レールは、少なくともプレーヤ側に面するガイド壁が前記メダルの直径よりも低い高さとされていることを特徴とするメダルゲーム装置。
【請求項３】
請求項１または２において、
前記横搬送レールには、長手方向に沿って点灯手段が配設され、前記メダルの移動にあわせて前記点灯手段を点滅可能にしたことを特徴とするメダルゲーム装置。
【請求項４】
請求項１〜３のいずれかにおいて、
前記ゲーム空間内に前記横搬送レールまで前記メダルを上昇搬送する上昇搬送レールを有し、
前記上昇搬送レールは、内部を通過する前記メダルをプレーヤに対して視認可能にされていることを特徴とするメダルゲーム装置。
【請求項５】
請求項１〜４のいずれかにおいて、
前記横搬送レールは、少なくともプレーヤ側に面する前記ガイド壁が透明材料にて形成されていることを特徴とするメダルゲーム装置。
【発明の詳細な説明】
【技術分野】
【０００１】
本発明は、メダルゲーム装置に関し、特に、払い出し用のメダルを上部で所定位置まで搬送して払い出しを行うメダルゲーム装置に関する。
【背景技術】
【０００２】
一般に、ゲーム装置において、メダルを用いるメダルゲーム装置が知られている。
【０００３】
このようなメダルゲーム装置において、払い出し用のメダルを装置の上部からゲーム空間内に供給しようとする場合、装置の下部側からメダルを上昇搬送し、その上昇位置から所定のメダル供給位置まで横方向に搬送して供給を行うことが知られている。
【０００４】
そして、メダルを上昇及び横方向に搬送する場合、その搬送機構をゲーム空間に露出させることなく、筐体で覆い隠すようにしていた。
【発明の概要】
【発明が解決しようとする課題】
【０００５】
しかし、このようなゲーム装置では、払い出し用のメダルの搬送機構が筐体内に隠されているため、払い出し用のメダルがいきなりゲーム空間に出現してくることとなり、プレーヤにとってはメダルの獲得が単調になって、面白みに欠けるものである。
【０００６】
また、搬送機構が筐体内に隠されているので、メダルが途中で詰まってしまった場合等には、筐体を開ける作業から行わなければならず、メンテナンス性に劣るものである。
【０００７】
さらに、メダルの供給位置が筐体の奥側にある場合には、搬送機構を筐体奥側に配置・収納することが多く、この場合にも作業がしにくくなってメンテナンス性に劣るものとなる。
【０００８】
本発明の目的は、払い出し用のメダルを装置の上部からゲーム空間内に供給する場合に、メダルをプレーヤが視認できる状態とすることで、プレーヤに見えているメダルを獲得しようとする意欲を起こさせて、ゲームの面白みを向上させることができ、しかも、メンテナンス性を向上させることのできるメダルゲーム装置を提供することにある。
【課題を解決するための手段】
【０００９】
前記目的を達成するため、本発明のメダルゲーム装置は、ゲーム空間内の上方部で払い出し用のメダルを所定位置まで転動させて搬送する横搬送レールを有し、
前記横搬送レールは、少なくともプレーヤ側に面するガイド壁に前記メダルをプレーヤに対して視認可能にする視認部が形成されていることを特徴とする。
【００１０】
本発明によれば、ゲーム空間内の上方部で払い出し用のメダルを所定位置まで転動させて搬送する横搬送レールの少なくともプレーヤ側に面するガイド壁にメダルをプレーヤに対して視認可能にする視認部を形成することで、プレーヤは横搬送レールを転動する払い出し用のメダルを視認部から視認することができ、プレーヤにその見えているメダルを獲得しようとする意欲を起こさせてゲームの面白みを向上させることができる。
【００１１】
また、横搬送レールを搬送されるメダルをゲーム空間内で視認することができるため、横搬送レール上でのメダルの詰まり等が生じた場合に、その詰まった場所を筐体等を開ける作業を待つまでもなく容易に確認することができ、メンテナンス性を向上させることができる。
【００１２】
また、本発明の他のメダルゲーム装置は、ゲーム空間内の上方部で払い出し用のメダルを所定位置まで転動させて搬送する横搬送レールを有し、
前記横搬送レールは、少なくともプレーヤ側に面するガイド壁が前記メダルの直径よりも低い高さとされていることを特徴とする。
【００１３】
本発明によれば、ゲーム空間内の上方部でメダルを所定位置まで搬送する横搬送レールの少なくともプレーヤ側に面するガイド壁をメダルの直径よりも低い高さとすることで、横搬送レールを転動するメダルの上部がプレーヤ側に面するガイド壁よりも突出した状態となり、メダルをプレーヤが視認できる状態となり、プレーヤに見えているメダルを獲得しようとする意欲を起こさせてゲームの面白みを向上させることができる。
【００１４】
また、横搬送レール上のメダルが詰まった場合等に筐体を開けるまでもなく容易にその詰まった部分を確認することができ、しかも、メダルの上部がプレーヤ側に面するガイド壁よりも突出しているため、詰まったメダルを容易に取り出すことができ、メンテナンス性を向上させることができる。
【００１５】
このような発明においては、横搬送レールには、長手方向に沿って点灯手段が配設され、前記メダルの移動にあわせて前記点灯手段を点滅可能にするとよい。
【００１６】
このような構成とすることにより、点灯手段がメダルの移動に合わせて点滅することで、メダルの動きをより一層強調して、演出効果を高めることができる。
【００１７】
また、このような発明においては、前記ゲーム空間内に前記横搬送レールまで前記メダルを上昇搬送する上昇搬送レールを有し、
前記上昇搬送レールは、内部を通過する前記メダルをプレーヤに対して視認可能にするとよい。
【００１８】
このような構成とすることにより、上昇搬送レール内を搬送されるメダルに詰まり等が生じた場合に、筐体等を開けることなくその詰まった部分を容易に確認することができ、より一層メンテナンス性を向上させることができる。
【００１９】
さらに、このような発明においては、前記横搬送レールは、少なくともプレーヤ側に面する前記ガイド壁が透明材料にて形成してもよい。
【００２０】
このような構成とすることにより、横搬送レールを転動するメダルをより視認しやすい状態とすることができ、プレーヤにメダル獲得の意欲をさらに起こさせて、ゲームの面白みをより一層向上させることができ、しかも、メンテナンス性も一層向上させることができる。
【図面の簡単な説明】
【００２１】
【図１】本発明の一実施の形態に係るメダルゲーム装置を示す全体斜視図である。
【図２】図１のメダルゲーム装置のメダル貯留部と横搬送レールの状態を示す断面図である。
【図３】図１の横搬送レールと上昇搬送レールの状態を示す拡大側面図である。
【発明を実施するための形態】
【００２２】
以下、本発明の好適な実施の形態について、図面を参照して詳細に説明する。
【００２３】
図１〜図３は、本発明の一実施の形態に係るメダルゲーム装置を示す図である。
【００２４】
このメダルゲーム装置１０は、メダルプッシャーゲームを行うもので、図１に示すように、複数、例えば４つのステーション１２を有し、各ステーション１２にそれぞれ２つのメダル発射装置１４を設け、同時に複数、例えば８人のプレーヤがメダルプッシャーゲームを楽しむことができるようになっている。
【００２５】
このメダル発射装置１４は、投入されたメダルを跳ね上げ発射するようになっている。
【００２６】
また、各ステーション１２には、ゲームに影響を及ぼさない奥側上部に当たり用のメダルを一時貯留する段状のメダル貯留部１６が設けられ、このメダル貯留部１６の下方にプッシャープレート１８を有するゲームフィールド２０が設けられており、さらに、メダル貯留部１６とゲームフィールド２０との間にターゲット部２２が設けられている。
【００２７】
メダル貯留部１６は、複数、例えば本実施の形態では、５つの段部１６ａ〜１６ｅを有し、図３に示すように、最上段の段部１６ａの上方に設けられた払い出し口２４から各段部１６ａ〜１６ｅのメダル載置面上にメダル２６が供給されるようになっている。
【００２８】
これら段部１６ａ〜１６ｅは、最上段の段部１６ａが最も幅が狭く、最下段の段部１６ｅが最も幅が広くなるように、上方から下方にかけて徐々に幅が広くなるようにされている。
【００２９】
また、段部１６ａ〜１６ｅは、同時に回転可能にされており、段部１６ａ〜１６ｅに蓄えられたメダル２６は、段部１６ａ〜１６ｅの回転によって払い出し可能にされている。
【００３０】
ゲームフィールド２０では、メダル貯留部１６より払い出されたメダル２６をプッシャープレート１８にて押し出してメダル取出口２８へと排出するようにされている。
【００３１】
ターゲット部２２は、メダル受入口３０を有し、メダル発射装置１４によりメダル受入口３０を狙ってメダル２６を跳ね上げ発射し、メダル受入口３０にメダル２６を入れるようにしている。
【００３２】
また、ターゲット部２２には、抽選表示部３２が設けられメダル２６がメダル受入口３０に投入されることによって、抽選開始や抽選停止が行われるようになっている。
【００３３】
そして、抽選結果に応じて払い出し口２４からメダル貯留部１６にメダル２８を供給したり、メダル貯留部１６に貯留したメダル２６をゲームフィールド２０に供給したり、あるいは、払い出し口２４から直接ゲームフィールド２０に供給したりするようになっている。
【００３４】
また、払い出し口２４は、筐体３８下部側に設けられた図示せぬメダル供給装置から、上昇搬送レール３４及び横搬送レール３６を介してメダル２６が供給され、メダル２６の払い出しを行うようになっている。
【００３５】
上昇搬送レール３４は、筐体３８のコーナー部で、ゲーム空間に望んだ状態でほぼ垂直に支持され、その上端が払い出し口２４の位置よりも高い位置になるように設定させている。
【００３６】
また、この上昇搬送レール３４は、対向配置した２枚の金属製のガイド壁４０間にメダル２６を挟んだ状態で、メダル２６を１枚づつ押し上げることでメダル２６を上昇搬送するようになっている。
【００３７】
さらに、この上昇搬送レール３４は、図３に示すように、各ガイド壁４０の搬送方向と交差する方向に複数、例えば３つ配した短スリット状の視認部４２を搬送方向において断続的に設け、この視認部４２によって上昇搬送レール３４の内部を通過するメダル２６をプレーヤに対して視認可能にしている。
【００３８】
従って、上昇搬送レール３４内を搬送されるメダル２６に詰まり等が生じた場合に、筐体３８等を開けることなくその詰まった部分を容易に確認することができ、メンテナンス性を向上させることが可能となる。
【００３９】
この視認部４２は、少なくとも一方のガイド壁４０に形成されていればよく、また、視認部４２としては、１枚のガイド壁４０に貫通形成した連続状のスリットや、２枚の部材間に形成される連続状のスリットにて形成することも可能である。
【００４０】
また、上昇搬送レール３４は、少なくとも一方のガイド壁４０を合成樹脂やガラス等の透明部材で形成することにより、より一層メンテナンス性を向上させることが可能となる。
【００４１】
横搬送レール３６は、図２、図３に示すように、ゲーム空間の上方部内でゲーム空間に臨み、筐体３８のコーナー部に位置する上昇搬送レール３４の上端部と一端側で接続し、他端側で筐体３８のほぼ中央に位置するメダル２６の払い出し口２４と接続した状態となっており、上昇搬送レール３４側から払い出し口２４側にかけて下降傾斜する状態となっている。
【００４２】
従って、上昇搬送レール３４によって１個づつ上昇搬送されたメダル２６が横搬送レール３６上に移行されると、メダル２４は、自重によって横搬送レール３６上を転動して払い出し口２４まで搬送され、そこから払い出されるようになっている。
【００４３】
また、この横搬送レール３６は、対面する２枚の金属性のガイド壁４４に挟まれた状態でメダル２６を転動させるようになっており、これら各ガイド壁４４は、メダル２６の直径よりも低い高さに設定されている。
【００４４】
従って、横搬送レール３６を転動するメダル２６の上部がガイド壁４４よりも上方に突出した状態となり、この状態でメダル２６をプレーヤが視認できることとなり、プレーヤに見えているメダルを獲得しようとする意欲を起こさせてゲームの面白みを向上させることが可能となる。
【００４５】
また、横搬送レール３６上のメダル２６が詰まった場合等に、筐体３８を開けるまでもなく、容易にその詰まった部分を確認することができ、しかも、メダル２６の上部がガイド壁４４よりも突出しているため、詰まったメダル２６を容易に取り出すことができ、メンテナンス性を向上させることが可能となる。
【００４６】
この横搬送レール３６は、各ガイド壁４４がメダル２６の直径よりも低い高さとされているが、少なくとも、そのメダル２６が払い出されるステーション１２でプレーを行っているプレーヤ側に面するガイド壁４４がメダル２６の直径よりも低くされていれば足りる。
【００４７】
また、ガイド壁４４がメダル２６の直径よりも高い場合であっても、上昇搬送レール３４で示したように、少なくとも払い出されるステーション１２のプレーヤ側に面するガイド壁に断続的短スリットや貫通形成した連続するスリットあるいは２枚の部材間に形成される連続するスリット等によって、メダル２６をプレーヤに対して視認可能にする視認部を形成することでも同様の効果を達成することが可能である。
【００４８】
さらに、横搬送レール３６は、少なくとも、メダル２６が払い出されるステーションのプレーヤ側に面するガイド壁４４を透明部材にて形成することで、より一層プレーヤに対してメダル２６の視認を容易とし、メダル２６の獲得の意欲の向上や、メンテナンス性の向上を図ることが可能となる。
【００４９】
また、横搬送レール３６に、長手方向に沿ってランプやＬＥＤ等の点灯手段４６を所定間隔で配設し、メダル２６の移動に合わせて点灯手段４６を点滅可能にしている。
【００５０】
このように、点灯手段４６をメダル２６の移動に合わせて点滅させることで、メダル２６の動きをより一層強調して、メダル獲得のための演出効果を高めることが可能となる。
【００５１】
本発明は、前記実施の形態に限定されるものではなく、本発明の要旨の範囲内において種々の形態に変形可能である。
【００５２】
例えば、前記実施の形態においては、本発明のメダルゲーム装置をメダルプッシャーゲームに適用した場合について説明したが、この例に限らず、メダル発射手段によりメダルをターゲットに向けて発射し、命中した場合に所定のメダルを支払うようなメダルゲームに適用することも可能である。
【００５３】
また、メダル発射手段は、前記実施の形態のように、メダルを跳ね上げ発射するものに限らず、メダルをターゲットに向けて縦に転動可能に発射するようなものを採用することもできる。
【符号の説明】
【００５４】
１０  メダルゲーム装置
１６  メダル貯留部
２４  払い出し口
２６  メダル
３４  上昇搬送レール
３６  横搬送レール
３８  筐体
４０、４４  ガイド壁
４２  視認部
４６  点灯手段
【図１】
2010063907.tif 000003
【図２】
2010063907.tif 000004
【図３】
2010063907.tif 000005
【手続補正書】
【提出日】平成22年1月7日(2010.1.7)
【手続補正１】
【補正対象書類名】明細書
【補正対象項目名】全文
【補正方法】変更
【補正の内容】
【発明の詳細な説明】
【技術分野】
【０００１】
本発明は、メダルゲーム装置に関し、特に、払い出し用のメダルを上部で所定位置まで搬送して払い出しを行うメダルゲーム装置に関する。
【背景技術】
【０００２】
一般に、ゲーム装置において、メダルを用いるメダルゲーム装置が知られている。
【０００３】
このようなメダルゲーム装置において、払い出し用のメダルを装置の上部からゲーム空間内に供給しようとする場合、装置の下部側からメダルを上昇搬送し、その上昇位置から所定のメダル供給位置まで横方向に搬送して供給を行うことが知られている。
【０００４】
そして、メダルを上昇及び横方向に搬送する場合、その搬送機構をゲーム空間に露出させることなく、筐体で覆い隠すようにしていた。
【発明の概要】
【発明が解決しようとする課題】
【０００５】
しかし、このようなゲーム装置では、払い出し用のメダルの搬送機構が筐体内に隠されているため、払い出し用のメダルがいきなりゲーム空間に出現してくることとなり、プレーヤにとってはメダルの獲得が単調になって、面白みに欠けるものである。
【０００６】
また、搬送機構が筐体内に隠されているので、メダルが途中で詰まってしまった場合等には、筐体を開ける作業から行わなければならず、メンテナンス性に劣るものである。
【０００７】
さらに、メダルの供給位置が筐体の奥側にある場合には、搬送機構を筐体奥側に配置・収納することが多く、この場合にも作業がしにくくなってメンテナンス性に劣るものとなる。
【０００８】
本発明の目的は、払い出し用のメダルを装置の上部からゲーム空間内に供給する場合に、メダルをプレーヤが視認できる状態とすることで、プレーヤに見えているメダルを獲得しようとする意欲を起こさせて、ゲームの面白みを向上させることができ、しかも、メンテナンス性を向上させることのできるメダルゲーム装置を提供することにある。
【課題を解決するための手段】
【０００９】
前記目的を達成するため、本発明のメダルゲーム装置は、ゲーム空間内におけるゲームフィールド上のメダルを押し出して、プレーヤによるメダル獲得を可能にするメダルゲーム装置において、
前記ゲーム空間内で、払い出し用のメダルを所定位置まで転動させて搬送する横搬送レールが前記ゲーム空間内でプレーヤに視認可能に設けられ、
前記横搬送レールは、前記メダルを上昇搬送する上昇搬送レールに一端が接続され、少なくともプレーヤ側に面するガイド壁が前記メダルの直径よりも低い高さとされ、
前記上昇搬送レールは、ガイド壁にスリット状の視認部が形成され、前記視認部を介して前記メダルをプレーヤに対して視認可能にしていることを特徴とする。
本発明においては、前記横搬送レールは、少なくともプレーヤ側に面するガイド壁が透明材料にて形成されるようにすることができる。
【００１０】
【００１１】
【００１２】
【００１３】
【００１４】
【００１５】
【００１６】
【００１７】
【００１８】
【００１９】
【００２０】
【図面の簡単な説明】
【００２１】
【図１】本発明の一実施の形態に係るメダルゲーム装置を示す全体斜視図である。
【図２】図１のメダルゲーム装置のメダル貯留部と横搬送レールの状態を示す断面図である。
【図３】図１の横搬送レールと上昇搬送レールの状態を示す拡大側面図である。
【発明を実施するための形態】
【００２２】
本実施の形態におけるメダルゲーム装置は、ゲーム空間内の上方部で払い出し用のメダルを所定位置まで転動させて搬送する横搬送レールを有し、
前記横搬送レールは、少なくともプレーヤ側に面するガイド壁に前記メダルをプレーヤに対して視認可能にする視認部が形成されていることを特徴とする。
本実施の形態によれば、ゲーム空間内の上方部で払い出し用のメダルを所定位置まで転動させて搬送する横搬送レールの少なくともプレーヤ側に面するガイド壁にメダルをプレーヤに対して視認可能にする視認部を形成することで、プレーヤは横搬送レールを転動する払い出し用のメダルを視認部から視認することができ、プレーヤにその見えているメダルを獲得しようとする意欲を起こさせてゲームの面白みを向上させることができる。
また、横搬送レールを搬送されるメダルをゲーム空間内で視認することができるため、横搬送レール上でのメダルの詰まり等が生じた場合に、その詰まった場所を筐体等を開ける作業を待つまでもなく容易に確認することができ、メンテナンス性を向上させることができる。
また、他の実施の形態にかかるメダルゲーム装置は、ゲーム空間内の上方部で払い出し用のメダルを所定位置まで転動させて搬送する横搬送レールを有し、
前記横搬送レールは、少なくともプレーヤ側に面するガイド壁が前記メダルの直径よりも低い高さとされていることを特徴とする。
本実施の形態によれば、ゲーム空間内の上方部でメダルを所定位置まで搬送する横搬送レールの少なくともプレーヤ側に面するガイド壁をメダルの直径よりも低い高さとすることで、横搬送レールを転動するメダルの上部がプレーヤ側に面するガイド壁よりも突出した状態となり、メダルをプレーヤが視認できる状態となり、プレーヤに見えているメダルを獲得しようとする意欲を起こさせてゲームの面白みを向上させることができる。
また、横搬送レール上のメダルが詰まった場合等に筐体を開けるまでもなく容易にその詰まった部分を確認することができ、しかも、メダルの上部がプレーヤ側に面するガイド壁よりも突出しているため、詰まったメダルを容易に取り出すことができ、メンテナンス性を向上させることができる。
このような実施の形態においては、横搬送レールには、長手方向に沿って点灯手段が配設され、前記メダルの移動にあわせて前記点灯手段を点滅可能にするとよい。
このような構成とすることにより、点灯手段がメダルの移動に合わせて点滅することで、メダルの動きをより一層強調して、演出効果を高めることができる。
また、このような実施の形態においては、前記ゲーム空間内に前記横搬送レールまで前記メダルを上昇搬送する上昇搬送レールを有し、
前記上昇搬送レールは、内部を通過する前記メダルをプレーヤに対して視認可能にするとよい。
このような構成とすることにより、上昇搬送レール内を搬送されるメダルに詰まり等が生じた場合に、筐体等を開けることなくその詰まった部分を容易に確認することができ、より一層メンテナンス性を向上させることができる。
さらに、このような実施の形態においては、前記横搬送レールは、少なくともプレーヤ側に面する前記ガイド壁が透明材料にて形成してもよい。
このような構成とすることにより、横搬送レールを転動するメダルをより視認しやすい状態とすることができ、プレーヤにメダル獲得の意欲をさらに起こさせて、ゲームの面白みをより一層向上させることができ、しかも、メンテナンス性も一層向上させることができる。
【００２３】
実施例
以下、本発明の好適な実施の形態について、図面を参照して詳細に説明する。
図１〜図３は、本発明の一実施の形態に係るメダルゲーム装置を示す図である。
【００２４】
このメダルゲーム装置１０は、メダルプッシャーゲームを行うもので、図１に示すように、複数、例えば４つのステーション１２を有し、各ステーション１２にそれぞれ２つのメダル発射装置１４を設け、同時に複数、例えば８人のプレーヤがメダルプッシャーゲームを楽しむことができるようになっている。
【００２５】
このメダル発射装置１４は、投入されたメダルを跳ね上げ発射するようになっている。
【００２６】
また、各ステーション１２には、ゲームに影響を及ぼさない奥側上部に当たり用のメダルを一時貯留する段状のメダル貯留部１６が設けられ、このメダル貯留部１６の下方にプッシャープレート１８を有するゲームフィールド２０が設けられており、さらに、メダル貯留部１６とゲームフィールド２０との間にターゲット部２２が設けられている。
【００２７】
メダル貯留部１６は、複数、例えば本実施の形態では、５つの段部１６ａ〜１６ｅを有し、図３に示すように、最上段の段部１６ａの上方に設けられた払い出し口２４から各段部１６ａ〜１６ｅのメダル載置面上にメダル２６が供給されるようになっている。
【００２８】
これら段部１６ａ〜１６ｅは、最上段の段部１６ａが最も幅が狭く、最下段の段部１６ｅが最も幅が広くなるように、上方から下方にかけて徐々に幅が広くなるようにされている。
【００２９】
また、段部１６ａ〜１６ｅは、同時に回転可能にされており、段部１６ａ〜１６ｅに蓄えられたメダル２６は、段部１６ａ〜１６ｅの回転によって払い出し可能にされている。
【００３０】
ゲームフィールド２０では、メダル貯留部１６より払い出されたメダル２６をプッシャープレート１８にて押し出してメダル取出口２８へと排出するようにされている。
【００３１】
ターゲット部２２は、メダル受入口３０を有し、メダル発射装置１４によりメダル受入口３０を狙ってメダル２６を跳ね上げ発射し、メダル受入口３０にメダル２６を入れるようにしている。
【００３２】
また、ターゲット部２２には、抽選表示部３２が設けられメダル２６がメダル受入口３０に投入されることによって、抽選開始や抽選停止が行われるようになっている。
【００３３】
そして、抽選結果に応じて払い出し口２４からメダル貯留部１６にメダル２８を供給したり、メダル貯留部１６に貯留したメダル２６をゲームフィールド２０に供給したり、あるいは、払い出し口２４から直接ゲームフィールド２０に供給したりするようになっている。
【００３４】
また、払い出し口２４は、筐体３８下部側に設けられた図示せぬメダル供給装置から、上昇搬送レール３４及び横搬送レール３６を介してメダル２６が供給され、メダル２６の払い出しを行うようになっている。
【００３５】
上昇搬送レール３４は、筐体３８のコーナー部で、ゲーム空間に望んだ状態でほぼ垂直に支持され、その上端が払い出し口２４の位置よりも高い位置になるように設定させている。
【００３６】
また、この上昇搬送レール３４は、対向配置した２枚の金属製のガイド壁４０間にメダル２６を挟んだ状態で、メダル２６を１枚づつ押し上げることでメダル２６を上昇搬送するようになっている。
【００３７】
さらに、この上昇搬送レール３４は、図３に示すように、各ガイド壁４０の搬送方向と交差する方向に複数、例えば３つ配した短スリット状の視認部４２を搬送方向において断続的に設け、この視認部４２によって上昇搬送レール３４の内部を通過するメダル２６をプレーヤに対して視認可能にしている。
【００３８】
従って、上昇搬送レール３４内を搬送されるメダル２６に詰まり等が生じた場合に、筐体３８等を開けることなくその詰まった部分を容易に確認することができ、メンテナンス性を向上させることが可能となる。
【００３９】
この視認部４２は、少なくとも一方のガイド壁４０に形成されていればよく、また、視認部４２としては、１枚のガイド壁４０に貫通形成した連続状のスリットや、２枚の部材間に形成される連続状のスリットにて形成することも可能である。
【００４０】
また、上昇搬送レール３４は、少なくとも一方のガイド壁４０を合成樹脂やガラス等の透明部材で形成することにより、より一層メンテナンス性を向上させることが可能となる。
【００４１】
横搬送レール３６は、図２、図３に示すように、ゲーム空間の上方部内でゲーム空間に臨み、筐体３８のコーナー部に位置する上昇搬送レール３４の上端部と一端側で接続し、他端側で筐体３８のほぼ中央に位置するメダル２６の払い出し口２４と接続した状態となっており、上昇搬送レール３４側から払い出し口２４側にかけて下降傾斜する状態となっている。
【００４２】
従って、上昇搬送レール３４によって１個づつ上昇搬送されたメダル２６が横搬送レール３６上に移行されると、メダル２４は、自重によって横搬送レール３６上を転動して払い出し口２４まで搬送され、そこから払い出されるようになっている。
【００４３】
また、この横搬送レール３６は、対面する２枚の金属性のガイド壁４４に挟まれた状態でメダル２６を転動させるようになっており、これら各ガイド壁４４は、メダル２６の直径よりも低い高さに設定されている。
【００４４】
従って、横搬送レール３６を転動するメダル２６の上部がガイド壁４４よりも上方に突出した状態となり、この状態でメダル２６をプレーヤが視認できることとなり、プレーヤに見えているメダルを獲得しようとする意欲を起こさせてゲームの面白みを向上させることが可能となる。
【００４５】
また、横搬送レール３６上のメダル２６が詰まった場合等に、筐体３８を開けるまでもなく、容易にその詰まった部分を確認することができ、しかも、メダル２６の上部がガイド壁４４よりも突出しているため、詰まったメダル２６を容易に取り出すことができ、メンテナンス性を向上させることが可能となる。
【００４６】
この横搬送レール３６は、各ガイド壁４４がメダル２６の直径よりも低い高さとされているが、少なくとも、そのメダル２６が払い出されるステーション１２でプレーを行っているプレーヤ側に面するガイド壁４４がメダル２６の直径よりも低くされていれば足りる。
【００４７】
また、ガイド壁４４がメダル２６の直径よりも高い場合であっても、上昇搬送レール３４で示したように、少なくとも払い出されるステーション１２のプレーヤ側に面するガイド壁に断続的短スリットや貫通形成した連続するスリットあるいは２枚の部材間に形成される連続するスリット等によって、メダル２６をプレーヤに対して視認可能にする視認部を形成することでも同様の効果を達成することが可能である。
【００４８】
さらに、横搬送レール３６は、少なくとも、メダル２６が払い出されるステーションのプレーヤ側に面するガイド壁４４を透明部材にて形成することで、より一層プレーヤに対してメダル２６の視認を容易とし、メダル２６の獲得の意欲の向上や、メンテナンス性の向上を図ることが可能となる。
【００４９】
また、横搬送レール３６に、長手方向に沿ってランプやＬＥＤ等の点灯手段４６を所定間隔で配設し、メダル２６の移動に合わせて点灯手段４６を点滅可能にしている。
【００５０】
このように、点灯手段４６をメダル２６の移動に合わせて点滅させることで、メダル２６の動きをより一層強調して、メダル獲得のための演出効果を高めることが可能となる。
【００５１】
本発明は、前記実施の形態に限定されるものではなく、本発明の要旨の範囲内において種々の形態に変形可能である。
【００５２】
例えば、前記実施の形態においては、本発明のメダルゲーム装置をメダルプッシャーゲームに適用した場合について説明したが、この例に限らず、メダル発射手段によりメダルをターゲットに向けて発射し、命中した場合に所定のメダルを支払うようなメダルゲームに適用することも可能である。
【００５３】
また、メダル発射手段は、前記実施の形態のように、メダルを跳ね上げ発射するものに限らず、メダルをターゲットに向けて縦に転動可能に発射するようなものを採用することもできる。
【符号の説明】
【００５４】
１０  メダルゲーム装置
１６  メダル貯留部
２４  払い出し口
２６  メダル
３４  上昇搬送レール
３６  横搬送レール
３８  筐体
４０、４４  ガイド壁
４２  視認部
４６  点灯手段
【手続補正２】
【補正対象書類名】特許請求の範囲
【補正対象項目名】全文
【補正方法】変更
【補正の内容】
【特許請求の範囲】
【請求項１】
ゲーム空間内におけるゲームフィールド上のメダルを押し出して、プレーヤによるメダル獲得を可能にするメダルゲーム装置において、
前記ゲーム空間内で、払い出し用のメダルを所定位置まで転動させて搬送する横搬送レールが前記ゲーム空間内でプレーヤに視認可能に設けられ、
前記横搬送レールは、前記メダルを上昇搬送する上昇搬送レールに一端が接続され、少なくともプレーヤ側に面するガイド壁が前記メダルの直径よりも低い高さとされ、
前記上昇搬送レールは、ガイド壁にスリット状の視認部が形成され、前記視認部を介して前記メダルをプレーヤに対して視認可能にしていることを特徴とするメダルゲーム装置。
【請求項２】
請求項１において、
前記横搬送レールは、少なくともプレーヤ側に面するガイド壁が透明材料にて形成されていることを特徴とするメダルゲーム装置。